(57)【要約】【課題】  ユニット建物にバルコニーを構築するに際し、床レベルを下げるとともに、現地工数を少なくすること。【解決手段】  下階建物ユニット１０Ａの上に搭載されるバルコニーユニット２０において、下階建物ユニット１０Ａの天井フレーム１３Ａ内に落とし込まれる床パネル３０と、下階建物ユニット１０Ａの天井フレーム１３Ａ上に配置される壁パネル４０とが一体化されたもの。【選択図】  図３
2005155249.tif 000002
【特許請求の範囲】
【請求項１】
下階建物ユニットの上に搭載されるバルコニーユニットにおいて、
下階建物ユニットの天井フレーム内に落とし込まれる床パネルと、下階建物ユニットの
天井フレーム上に配置される壁パネルとが一体化されたことを特徴とするバルコニーユニ
ット。
【請求項２】
前記床パネルが枠組された床梁と、相対する床梁に架け渡される床小梁と、床小梁に支
持される床面材を有して構成され、
前記壁パネルが床パネルの床梁に接合される柱と、柱に支持される壁面材を有して構成
され、
前記下階建物ユニットの天井フレーム内に床パネルの床梁が落とし込まれ、下階建物ユ
ニットの天井フレーム上に壁パネルの柱下部をボルト止め可能にされる請求項１に記載の
バルコニーユニット。
【請求項３】
請求項２に記載のバルコニーユニットを下階建物ユニットの上に搭載する施工方法であ
って、
壁パネルの壁面材の一部を空けたバルコニーユニットにおける壁パネルの柱下部を、下
階建物ユニットの天井フレーム上に載せる工程と、
壁パネルの壁面材を空けた部分から差し入れたボルトにより、壁パネルの柱下部を下階
建物ユニットの天井フレーム上にボルト止めする工程と、
壁パネルの壁面材を空けた部分を壁面材により塞ぐ工程とを有してなるバルコニーユニ
ットの施工方法。
【発明の詳細な説明】
【技術分野】
【０００１】
本発明はバルコニーユニット及び施工方法に関する。
【背景技術】
【０００２】
ユニット建物におけるバルコニーとして、特許文献１、２に記載の如く、下階建物ユニ
ットの天井フレームにバルコニーの床を組み込むものがある。これにより、バルコニーの
床レベルを下げ、上階床室からバルコニーへの出入りをし易くすることができる。
【特許文献１】特開平6-316970
【特許文献２】特開平7-62743
【発明の開示】
【発明が解決しようとする課題】
【０００３】
特許文献１、２のバルコニーでは、手摺壁を構成する壁パネルが床と別体であり、下階
建物ユニットの天井フレームに床を組み込む作業とは別に、下階建物ユニットの天井フレ
ーム上に壁パネルを固定する作業が必要であり、現地工数が多くなる。
【０００４】
本発明の課題は、ユニット建物にバルコニーを構築するに際し、床レベルを下げるとと
もに、現地工数を少なくすることにある。
【課題を解決するための手段】
【０００５】
請求項１の発明は、下階建物ユニットの上に搭載されるバルコニーユニットにおいて、
下階建物ユニットの天井フレーム内に落とし込まれる床パネルと、下階建物ユニットの天
井フレーム上に配置される壁パネルとが一体化されたものである。
【０００６】
請求項２の発明は、請求項１の発明において更に、前記床パネルが枠組された床梁と、
相対する床梁に架け渡される床小梁と、床小梁に支持される床面材を有して構成され、前
記壁パネルが床パネルの床梁に接合される柱と、柱に支持される壁面材を有して構成され
、前記下階建物ユニットの天井フレーム内に床パネルの床梁が落とし込まれ、下階建物ユ
ニットの天井フレーム上に壁パネルの柱下部をボルト止め可能にされるものである。
【０００７】
請求項３の発明は、請求項２に記載のバルコニーユニットを下階建物ユニットの上に搭
載する施工方法であって、壁パネルの壁面材の一部を空けたバルコニーユニットにおける
壁パネルの柱下部を、下階建物ユニットの天井フレーム上に載せる工程と、壁パネルの壁
面材を空けた部分から差し入れたボルトにより、壁パネルの柱下部を下階建物ユニットの
天井フレーム上にボルト止めする工程と、壁パネルの壁面材を空けた部分を壁面材により
塞ぐ工程とを有してなるものである。
【発明の効果】
【０００８】
（請求項１）
(a)バルコニーユニットの床パネルを下階建物ユニットの天井フレーム内に落とし込ん
だから、バルコニーの床レベルを下げ、上階居室からバルコニーへの出入りをし易くでき
る。
【０００９】
(b)バルコニーユニットの床パネルに壁パネルを一体化したから、下階建物ユニットの
天井フレーム内への床パネルの落とし込みと、天井フレーム上への壁パネルの配置とが同
時になされ、現地工数を少なくし、コスト低減できる。
【００１０】
（請求項２）
(c)バルコニーユニットの床パネルの床梁に、壁パネルの柱を接合した。これにより、
下階建物ユニットの天井フレーム内に床パネルの床梁を落とし込み、同時に天井フレーム
上に壁パネルの柱下部を配置し、この柱下部を天井フレーム上に直ちにボルト止めできる
。
【００１１】
（請求項３）
(d)バルコニーユニットにおける壁パネルの柱下部を、下階建物ユニットの天井フレー
ム上にボルト止めする作業を、壁パネルの壁面材の一部に当初空けた部分からスムースに
実施できる。防水処理の完全が必要とされる床面材でなく、壁面材を一部空け、これをそ
の後塞ぐものであるから、現地施工性を煩雑困難にすることもない。
【発明を実施するための最良の形態】
【００１２】
図１はユニット建物のバルコニーを示す平面図、図２は下階建物ユニットへのバルコニ
ーユニットの搭載状態を示す正面図、図３は図２のIII部を示す断面図、図４は図１のIV
−IV線に沿う断面図である。
【実施例】
【００１３】
図１のユニット建物１は、工場生産された複数の建物ユニット１０が現地の基礎上にて
左右上下に隣接設置されたものである。
【００１４】
建物ユニット１０は、図２に示す如く、４本の角鋼管等からなる柱１１の下部に、形鋼
等からなる床梁１２にて枠組された床フレーム１２Ａを接合するとともに、柱１１の上部
に形鋼等からなる天井梁１３にて枠組された天井フレーム１３Ａを接合した箱形骨組構造
体である。尚、図３、図４において、１４は外壁であり、外壁面材１４Ａと壁枠材１４Ｂ
とからなり、上下の壁枠材１４Ｂを床梁１２と天井梁１３に固定されるものである。
【００１５】
ユニット建物１は、下階建物ユニット１０Ａの上にバルコニーユニット２０が搭載され
る。
【００１６】
バルコニーユニット２０は、図２〜図４に示す如く、下階建物ユニット１０Ａの天井フ
レーム１３Ａ内に落とし込まれる床パネル３０と、天井フレーム１３Ａ上における上階建
物ユニット１０Ｂの正面に接する部分を除く、左右両側と前側の３面に配置されて手摺壁
４０Ａを形成する壁パネル４０とが一体化されたものであり、上階建物ユニット１０Ｂが
形成する上階居室の前面にバルコニー２１を形成する。
【００１７】
床パネル３０は、バルコニーユニット２０の短手方向に延在されて相対する左右両側の
床梁３１と、バルコニーユニット２０の長手方向に延在されて相対する前後両側の床梁３
２とにより四角枠組を形成し、相対する床梁３２、３２の梁受部３２Ａに複数本の床小梁
３３の両端部を載せ置き状態で取着し、この床小梁３３を床梁３２、３２に架け渡す（図
４）。また、相対する床梁３１、３１の根太受部３１Ａに複数本の根太３４の両端部を載
せ置き状態で取着し、この根太３４の中間部を床小梁３３の上面に載せ置き支持し、根太
３４の上に合板等からなる床面材３５を釘内等して支持する（図３）。
【００１８】
尚、床面材３５の上面には、バルコニーユニット２０の短手方向で上階建物ユニット１
０Ｂの側から外方に向けて下り勾配をなす防水材３６が設けられ、防水材３６の下り勾配
端には樋３７が設置される。樋３７は、前側の床梁３２と床面材３５の外方端との間で、
床小梁３３の上方に形成される凹所に配置される。樋３７の横断面の一端は防水材３６に
連続化され、他端は壁パネル４０の壁面に沿う立上げ部３７Ａとされる。
【００１９】
壁パネル４０は、床パネル３０の左右両側と前側に沿う複数位置において、床梁３１、
３２に接合されて立設される柱４１と、柱４１の内側面に取着される内壁４２と、柱４１
の外側面に取着される外壁４３を有して構成される。
【００２０】
ここで、床梁３１は根太受部３１Ａの上端から水平外向きに折り曲げられた水平接合部
３１Ｂを有し、柱４１の下端面を水平接合部３１Ｂの上面に溶接可能にする。また、床梁
３２は梁受部３２Ａの上端からそのまま鉛直上向きに延在した鉛直接合部３２Ｂを有し、
この鉛直接合部３２Ｂの外面にジョイント片３２Ｃを設け、柱４１の下端内側面をジョイ
ント片３２Ｃの外面に溶接可能にする。
【００２１】
また、内壁４２は、床パネル３０の左右両側に沿う床梁３１に立設した柱４１の内側面
に対しては、柱４１の下端側の一部の空き領域Ａを除く内側面に内壁面材４２Ａを直に取
着し、内壁面材４２Ａの下縁には水切材４４を設け、空き領域Ａには内壁面材４２Ｂを後
付け可能にしている（図３）。また、内壁４０には、床パネル３０の前側に沿う床梁３２
に立設した柱４１の内側面に対しては、柱４１の下端側の一部の領域Ｂ（前述の空き領域
Ａと同一高さ範囲）を除く内側面に内壁面材４２Ａを直に取着し、領域Ｂには樋３７の前
述の立上げ部３７Ａに覆われる内壁面材４２Ｂを直に取着している。
【００２２】
また、外壁４３は、外壁面材４３Ａと壁枠材４３Ｂとからなり、上下の壁枠材４３Ｂを
、床パネル３０の左右両側と前側のそれぞれに沿って相隣る柱４１に固定したものである
。
【００２３】
バルコニーユニット２０にあっては、下階建物ユニット１０Ａの天井フレーム１３Ａの
内側に床パネル３０の床梁３１、３２の根太受部３１Ａ、梁受部３２Ａが落とし込まれ、
下階建物ユニット１０Ａの天井フレーム１３Ａにおける左右両側の天井梁１３の上フラン
ジ１５上に、壁パネル４０における柱４１の下部、本実施例では柱４１の下端面が溶接さ
れている床梁３１の水平接合部３１Ｂを載せ、この水平接合部３１Ｂと天井梁１３の上フ
ランジ１５にボルト５０で締結可能にしている。ボルト５０は、床梁３１の水平接合部３
１Ｂと天井梁１３の上フランジ１５に挿通され、上フランジ１５の裏面に溶接してあるナ
ット１６に螺合される。
【００２４】
バルコニーユニット２０は下階建物ユニット１０Ａの上に以下の施工手順で搭載される
。
【００２５】
(1)バルコニーユニット２０における床パネル３０の左右両側に沿う床梁３１に立設し
た壁パネル４０の柱４１下部、本実施例では柱４１の下端面が溶接されている床梁３１の
水平接合部３１Ｂを下階建物ユニット１０Ａの水平フレーム１３Ａ上に載せる。壁パネル
４０は内壁面材４２Ａの下端側の一部を空き領域Ａとしている（図３）。このとき、バル
コニーユニット２０における前側に沿う床梁３２に立設した壁パネル４０の柱４１下部、
本実施例では柱４１の下端面が、下階建物ユニット１０Ａの水平フレーム１３Ａ（天井梁
１３の上フランジ１５）上に載る。
【００２６】
(2)壁パネル４０の空き領域Ａから差し入れたボルト５０により、壁パネル４０の柱４
１下部である上述の床梁３１の水平接合部３１Ｂを、下階建物ユニット１０Ａの天井フレ
ーム１３Ａにおける天井梁１３の上フランジ１５にボルト止めする（図３）。
【００２７】
(3)壁パネル４０の空き領域Ａを内壁面材４２Ｂにより塞ぐ（図３）。この内壁面材４
２Ｂは柱４１の内側面に直に取着される。その後、残る隙間を定形ないし不定形のシール
材で被覆し、防水面を形成する。
【００２８】
本実施例によれば以下の作用効果を奏する。
(a)バルコニーユニット２０の床パネル３０を下階建物ユニット１０Ａの天井フレーム
１３Ａ内に落とし込んだから、バルコニー２１の床レベルを下げ、上階建物ユニット１０
Ｂが形成する上階居室の正面からバルコニー２１への出入りをし易くできる。
【００２９】
(b)バルコニーユニット２０の床パネル３０に壁パネル４０を一体化したから、下階建
物ユニット１０Ａの天井フレーム１３Ａ内への床パネル３０の落とし込みと、天井フレー
ム１３Ａ上への壁パネル４０の配置とが同時になされ、現地工数を少なくし、コスト低減
できる。
【００３０】
(c)バルコニーユニット２０の床パネル３０の床梁３１、３２に、壁パネル４０の柱４
１を接合した。これにより、下階建物ユニット１０Ａの天井フレーム１３Ａ内に床パネル
３０の床梁３１、３２を落とし込み、同時に天井フレーム１３Ａ上に壁パネル４０の柱４
１の下部を配置し、この柱４１の下部を天井フレーム１３Ａ上に直ちにボルト止めできる
。
【００３１】
(d)バルコニーユニット２０における壁パネル４０の柱４１の下部を、下階建物ユニッ
ト１０Ａの天井フレーム１３Ａ上にボルト止めする作業を、壁パネル４０の壁面材４２Ａ
の一部に当初空けた部分（開き領域Ａ）からスムースに実施できる。防水処理の完全が必
要とされる床面材３５でなく、壁面材４２Ａを一部空け、これをその後塞ぐものであるか
ら、現地施工性を煩雑困難にすることもない。
【００３２】
以上、本発明の実施例を図面により記述したが、本発明の具体的な構成はこの実施例に
限られるものではなく、本発明の要旨を逸脱しない範囲の設計の変更等があっても本発明
に含まれる。
【図面の簡単な説明】
【００３３】
【図１】図１はユニット建物のバルコニーを示す平面図である。
【図２】図２は下階建物ユニットへのバルコニーユニットの搭載状態を示す正面図である。
【図３】図３は図２のIII部を示す断面図である。
【図４】図４は図１のIV−IV線に沿う断面図である。
【符号の説明】
【００３４】
１０Ａ  下階建物ユニット
１３Ａ  天井フレーム
２０  バルコニーユニット
３０  床パネル
３１、３２  床梁
３３  床小梁
３５  床面材
４０  壁パネル
４１  柱
４２Ａ、４２Ｂ  壁面材
５０  ボルト
Ａ  空き領域
【図１】
2005155249.tif 000003
【図２】
2005155249.tif 000004
【図３】
2005155249.tif 000005
【図４】
2005155249.tif 000006